(57)【特許請求の範囲】
【請求項１】
ユーザ機器（ＵＥ）（３０）からワイヤレス通信ネットワーク内のノード（１０）へキャリアアグリゲーション（ＣＡ）ケイパビリティを通信する方法（１００）であって、
前記ＵＥの無線周波数（ＲＦ）動作に関連するＣＡケイパビリティであるＲＦケイパビリティと、前記ＵＥのベースバンド（ＢＢ）動作に関連するＣＡケイパビリティであるＢＢケイパビリティとを別々に前記ノード（１０）へ送信することと、
前記ＲＦケイパビリティは、サポートされる周波数帯域の数及びサポートされるＭＩＭＯレイヤの数を含むことと、
前記ＢＢケイパビリティは、サポートされる統合帯域幅の標識及びサポートされるチャネル状態情報（ＣＳＩ）プロセス複雑度の標識を含むことと、
を特徴とする方法（１００）。
【請求項２】
ＲＦケイパビリティ及びＢＢケイパビリティを別々に送信すること（１０２，１０４）に先立って、
ＲＦ及びＢＢケイパビリティの別々の送信が前記ＵＥ（３０）によりサポートされるという標識を前記ノード（１０）へ送信することと、
ＲＦ及びＢＢケイパビリティの別々の送信がサポートされるという前記標識に応じて、ＲＦ及びＢＢケイパビリティの別々の送信の受信が前記ノード（１０）によりサポートされるという標識を前記ノード（１０）から受信することと、
をさらに含む、請求項１の方法（１００）。
【請求項３】
前記ＲＦケイパビリティは、
サポートされる各周波数帯域についてのサポートされるＭＩＭＯレイヤの最大数又は最小数のいずれかに関する情報、
サポートされる各周波数帯域コンビネーションについてのサポートされるＭＩＭＯレイヤの最大数又は最小数のいずれかに関する情報、
サポートされる各周波数帯域コンビネーションセットについてのサポートされるＭＩＭＯレイヤの最大数又は最小数のいずれかに関する情報、及び、
サポートされる各周波数帯域について、帯域幅クラス別に示される、サポートされるＭＩＭＯレイヤの最大数又は最小数のいずれかに関する情報、
のうちの少なくとも１つを含む、請求項１の方法（１００）。
【請求項４】
前記ＲＦケイパビリティは、サポートされる各周波数帯域について帯域間コンビネーションに関連する特性を示すSupportedInterbandCombinationsリストを含む、サポートされる帯域間コンビネーションの標識、をさらに含む、請求項１の方法（１００）。
【請求項５】
前記ＲＦケイパビリティは、サポートされるサブブロックの数、前記サポートされるサブブロック内の帯域幅クラスの標識、及びサポートされる帯域幅コンビネーションセット、のうちの少なくとも１つを含む、サポートされる帯域内コンビネーションの標識、をさらに含む、請求項１の方法（１００）。
【請求項６】
サポートされる前記帯域幅コンビネーションセットは、サポートされる各周波数帯域についてサポートされる非ＣＡキャリア帯域幅、サポートされる帯域内隣接ＣＡキャリア及びサポートされる帯域内非隣接ＣＡキャリアを示すSupportedIntrabandCombinationsリストにより示される、請求項５の方法（１００）。
【請求項７】
サポートされる前記統合帯域幅の前記標識は、サポートされるコンポーネントキャリアの最大数を含む、請求項１の方法（１００）。
【請求項８】
サポートされる前記統合帯域幅の前記標識は、サポートされる各ＭＩＭＯレイヤ数をサポートする各コンポーネントキャリアについての全帯域幅の合計を含む前記統合帯域幅を含む、請求項１の方法（１００）。
【請求項９】
サポートされる前記統合帯域幅の前記標識は、サポートされる各ＣＳＩプロセス数をサポートする各コンポーネントキャリアについての全帯域幅の合計を含む前記統合帯域幅を含む、請求項１の方法（１００）。
【請求項１０】
前記ノード（１０）へ送信される前記ＢＢケイパビリティは、予め決定される基本構成に対するサポートされる各ＭＩＭＯ及び帯域幅構成の相対的な複雑度、前記予め決定される基本構成に関する情報、及び前記ＵＥ（３０）についての統合相対複雑度、のうちの１つ以上を含む、請求項１の方法（１００）。
【請求項１１】
前記ノード（１０）へ送信される前記ＢＢケイパビリティは、予め決定される基本構成に対するサポートされる各ＣＳＩプロセス数及び帯域幅構成の相対的な複雑度、を含む、請求項１の方法（１００）。
【請求項１２】
前記ノード（１０）へ送信される前記ＢＢケイパビリティは、予め決定される基本構成に対するサポートされる各ネットワーク支援干渉除去（ＮＡＩＣ）プロセス数及び帯域幅構成の相対的な複雑度、を含む、請求項１の方法（１００）。
【請求項１３】
前記ノード（１０）へレポートされるＣＡケイパビリティは、前記ＵＥ（３０）によりサポートされる最大限のケイパビリティを表し、前記ＵＥ（３０）は、レポートされる当該ＣＡケイパビリティに含まれるよりも少ないどのＣＡケイパビリティも全面的にサポートし、前記ＵＥ（３０）は、フォールバックケイパビリティを明示的にシグナリングしない、請求項１〜１２のいずれかの方法（１００）。
【請求項１４】
ネットワーク要求型の帯域コンビネーション手続の一部として前記ワイヤレス通信ネットワークにより要求される周波数帯域のリストについて、周波数間測定又はＲＡＴ間測定のための測定ギャップを要求すること、をさらに含む、請求項１〜１３のいずれかの方法（１００）。
【請求項１５】
複数のネットワークノードを含むワイヤレス通信ネットワーク内で動作可能なユーザ機器（ＵＥ）（３０）であって、
１つ以上のアンテナ（４０）と、
前記アンテナ（４０）へ動作可能に接続される送受信機（３８）と、
前記送受信機（３８）へ動作可能に接続され、前記送受信機（３８）に、前記ＵＥの無線周波数（ＲＦ）動作に関連するキャリアアグリゲーション（ＣＡ）ケイパビリティであるＲＦケイパビリティと、前記ＵＥのベースバンド（ＢＢ）動作に関連するＣＡケイパビリティであるＢＢケイパビリティとを別々にネットワークノードへ送信させる、ように動作可能なベースバンドプロセッサ（３４）と、
を特徴とし、
前記ＲＦケイパビリティは、サポートされる周波数帯域の数及びサポートされるＭＩＭＯレイヤの数を含み、
前記ＢＢケイパビリティは、サポートされる統合帯域幅の標識及びサポートされるチャネル状態情報（ＣＳＩ）プロセス複雑度の標識を含む、
ユーザ機器（ＵＥ）（３０）。
【発明の詳細な説明】
【技術分野】
【０００１】
本発明は、概して、ワイヤレステレフォニーに関連し、具体的には、ユーザ機器のキャリアアグリゲーションケイパビリティを送信する効率的なシステム及び方法に関連する。
【背景技術】
【０００２】
キャリアアグリゲーション（ＣＡ）は、ワイヤレス通信ネットワークと加入者のユーザ機器（ＵＥ）との間のエアインタフェースの帯域幅を向上させ、よってビットレートを向上させるための技法である。ＣＡでは、２つ以上のコンポーネントキャリア（ＣＣ）がデータで変調され、ＵＥは特定される全てのＣＣから（又はそれらへ）データを受信（又は送信）する。これは、ピークユーザデータレート及び全体的なネットワークキャパシティを共に向上させ、事業者が断片化したスペクトル割り当てを活用することを可能にする。
【０００３】
３ＧＰＰ  ＬＴＥ（Long  Term  Evolution）標準のリリース１０は、デュアルセル（ＤＣ）と呼ばれるＣＡの限定的な形式を取り入れた。ＤＣは、２つの帯域内（intra-band）隣接ＣＣのアグリゲーション（ＦＤＤ若しくはＴＤＤ）、又は、２つの帯域間（inter-band）非隣接ＣＣのアグリゲーション（ＦＤＤのみ）を可能にした。ＣＡは、リリース１１において、２つの帯域内非隣接ＣＣのアグリゲーション（ＦＤＤ又はＴＤＤ）を可能にするように拡張された。リリース１２は、統合し得るＣＣの数を拡張し、アップリンクにＣＡを取り入れ、ＦＤＤキャリアとＴＤＤキャリアとの間のアグリゲーションのためのフレームワークを提供した。リリース１３は、さらに、統合されるＣＣの数及びタイプを拡張した。そして、リリース１３は、ライセンス済みスペクトルと未ライセンススペクトルとの間のアグリゲーションを可能にする。リリース１３については、８個までの隣接ＣＣのアグリゲーションが定義されている。各ＣＣは、１．４、３、５、１０、１５又は２０ＭＨｚという帯域幅を有し得る。よって、定義される最大の帯域幅は、８×２０ＭＨｚ＝１６０ＭＨｚである。
【０００４】
ＣＡのために各ＵＥを効率的に構成するために、ネットワークはＵＥのケイパビリティを認識しなければならない。ＵＥは、ＲＲＣ接続済み状態にあるときにネットワークへそれらケイパビリティを通信し、ネットワークはその情報をハンドオーバの期間中にターゲットサービングノードへ移管する。サービングノードは、ＲＲＣアイドル状態にある各ＵＥのケイパビリティを維持する必要はない。接続済みモードへの遷移の都度この情報を再送することを回避するために、サービングノードは、ＣＡケイパビリティ情報をモビリティ管理エンティティ（ＭＭＥ）へアップロードし、ＵＥがＲＲＣ接続済み状態へ遷移する際にＵＥのための固有のコンテキストが生成されるときにそれを引き出してもよい。
【０００５】
リリース１３を通じて定義されているＣＡケイパビリティのアップリンクシグナリング（ここではレガシーシグナリングという）は、統合される帯域に重点を置いている。サポートされる帯域の各コンビネーションについて、ＵＥは、サポートされる周波数帯域及び帯域コンビネーション、キャリア帯域幅、マルチタイミングアドバンス（TimingAdvance）又は同時Ｔｘ／Ｒｘをサポートするか、並びにＭＩＭＯアンテナの数など、ＲＦの特徴に関する自身のケイパビリティをレポートする。追加的に、各帯域について、ＵＥは、処理可能なＭＩＭＯレイヤの数、サポートされるチャネル状態情報（ＣＳＩ）プロセスの数、及びＣＡでのネットワーク支援干渉除去（ＮＡＩＣ）ケイパビリティなど、ベースバンド（ＢＢ）のケイパビリティをレポートする。この情報はサポートされる帯域コンビネーションごとに別々にレポートされることから、ＣＡケイパビリティが拡大しＵＥがＣＣの多くのコンビネーションをサポート可能となるにつれて、ネットワークへレポートされるデータは膨大になり、その多くが繰り返される。そのうえ、レガシーシグナリングは、ＵＥが自身のフォールバックケイパビリティを別個にレポートすることを要する。フォールバックケイパビリティとは、即ち、１つ以上のＣＣが利用不能になる場合に、より低次のどのＣＡをＵＥがサポートするか（及び、フォールバックのコンビネーションごとの自身のケイパビリティの全て）である。将来の３ＧＰＰリリースは、（アップリンク及びダウンリンクにおいて）３２個までの統合されるキャリアをサポートすることが予期されている。多数の統合されるキャリアについて、レガシーＣＡシグナリングは、システムオーバヘッドへ過剰に大きい負荷を課すであろう。実際、ＵＥ別のＣＡケイパビリティの送信は、エアインタフェース上での送信向けの８０８０バイトという現行のＰＤＣＰ  ＰＤＵサイズ制限を超過する可能性が高い。
【０００６】
ここで使用されるところによれば、無線ネットワークノード又はより簡易にネットワークノードという非限定的な用語は、ＵＥへサービスし、及び／若しくは、他のネットワークノード若しくはネットワークエレメントへ接続されるワイヤレス通信ネットワーク、又はＵＥの信号の受信元であるワイヤレス通信ネットワークの任意のタイプのノードをいう。無線ネットワークノードの例は、ノードＢ、基地局（ＢＳ）、ＭＳＲ（multi-standard  radio）  ＢＳなどのＭＳＲ無線ノード、ｅＮｏｄｅＢ、ネットワークコントローラ、無線ネットワークコントローラ（ＲＮＣ）、基地局コントローラ（ＢＳＣ）、リレー、リレーを制御するドナーノード、基地送受信局（ＢＴＳ）、アクセスポイント（ＡＰ）、送信ポイント、送信ノード、ＲＲＵ、ＲＲＨ、及びＤＡＳ（distributed  antenna  system）内のノードなどである。
【０００７】
ここで使用されるところによれば、ユーザ機器（ＵＥ）という非限定的な用語は、セルラー又はモバイル通信システムにおいて無線ネットワークノードと通信する任意のタイプのワイヤレスデバイスをいう。ＵＥの例は、ターゲットデバイス、デバイスツーデバイス（Ｄ２Ｄ）ＵＥ、マシンタイプＵＥ若しくはマシンツーマシン（Ｍ２Ｍ）通信可能なＵＥ、ＰＤＡ、ｉＰＡＤ、タブレット、モバイル端末、スマートフォン、ＬＥＥ（laptop  embedded  equipped）、ＬＭＥ（laptop  mounted  equipment）、及びＵＳＢドングルなどである。
【０００８】
本発明の実施形態は、３ＧＰＰ  ＥＵＴＲＡＮ／ＬＴＥシステムを基準としてここで説明される。しかしながら、それら実施形態は、例えばＵＴＲＡ／ＨＳＰＡ、ＧＳＭ／ＧＥＲＡＮ、ＷｉＦｉ、ＷＬＡＮ、ＷｉＭａｘ及びＣＤＭＡ２０００など、ＵＥ側から推定されるチャネルステータスからなるＵＥフィードバックと共にＵＥが動作するいかなるＲＡＴ又はマルチＲＡＴシステムにも適用可能である。
【０００９】
ここで使用されるところによれば、キャリアアグリゲーション（ＣＡ）という用語は、“マルチキャリアシステム”、“マルチセル動作”、“マルチキャリア動作”、“マルチキャリア”送信及び／又は受信といった用語と同義である。
【００１０】
本発明の実施形態は、少なくとも１つの受信アンテナに対応したＵＥに適用可能であり、２つ以上の受信アンテナを伴うＵＥにも適用される。それら実施形態は、ＭＩＭＯとの併用でも適用可能であり、その場合、ＵＥはＭＩＭＯを用いてデータを受信し及び／又は１つよりも多くのサービングセルへデータを送信することができ、例えばＵＥに２、４又は８個の受信アンテナがある。
【００１１】
各ＵＥは（第１のサービングセル又はより簡易にプライマリサービングセルとしても知られる）少なくとも１つのサービングセルによりサービスされ、そのサービングセルは、転じて第１のネットワークノードにより管理され又はサービスされる。ＵＥは、複数のサービングセルによりサービスされてもよく、例えば、ＣＡにおける、プライマリセル（ＰＣｅｌｌ）などの第１のサービングセル、第１のセカンダリセル（ＳＣｅｌｌ）などの第２のサービングセル、第２のＳＣｅｌｌなどの第３のサービングセルなどである。デュアルコネクティビティでは、第１のサービングセルはＰＣｅｌｌであってよく、第２のサービングセルはＰＳＣｅｌｌであってよく、第３の及び追加的なサービングセルはＳＣｅｌｌであってよい。異なるサービングセルは、同じ第１のネットワークノードにより管理され若しくはサービスされてもよく、又は、異なるネットワークノードによりそうされてもよい。例えば、ＰＣｅｌｌは第１のネットワークノードにより、ＳＣｅｌｌは第２のネットワークノードにより管理され又はサービスされるなどである。
【００１２】
また、サービングセルからのＵＥによる信号の受信は、１つ以上の与干渉セルからの信号により干渉されるかもしれず、これはセル間干渉としても知られる。例えば、第１のサービングセルからのＵＥ受信は、第１の与干渉セルにより干渉されるかもしれない。
【００１３】
ここで使用されるところによれば、時間リソースという用語は、適用可能な標準により定義される時間的な区画又は時間長をいう。時間リソースの例は、タイムスロット、送信時間インターバル（ＴＴＩ）、サブフレーム、シンボル、フレーム、スケジューリングピリオド、並びに、データ及び／若しくは制御チャネル受信時間若しくはインスタントなどを含む。典型的には、ＵＥは、各時間リソース（例えば、サブフレーム）の期間中にスケジューリングされることができ、従って、ＵＥは、概して、当該ＵＥがスケジューリングされるか否かを判定するために、各時間リソースの期間中に１つ以上の制御チャネルをモニタリングする。
【００１４】
ＵＥは、１つ以上のデータチャネル上で、あるいは少なくとも第１のセルからの第１のデータチャネル（例えば、ＰＤＳＣＨ）上で、ダウンリンクにおけるデータと共にスケジューリングされる（即ち、データを受信する）。従って、データ受信は、ＬＴＥシステムにおけるＤＬ  ＰＤＳＣＨ復調に対応する。
【００１５】
いくつかの実施形態において、リスト又は情報エレメントなどのデータ構造が具体的な記法を用いて説明される。それら記法は、単に例として提供されており、当業者は他の記法が使用されてもよいことを認識するであろう。
【発明の概要】
【００１６】
レガシーＣＡシグナリングは、フォールバック構成を含めて、サポートされる帯域コンビネーションごとにＵＥが別々に自身のＣＡ／ＭＩＭＯ／ＣＳＩ／ＮＡＩＣＳケイパビリティをシグナリングすることを要する。ここで開示され及び特許請求される実施形態によれば、ＵＥの無線周波数（ＲＦ）関連のケイパビリティとベースバンド（ＢＢ）関連のケイパビリティとを別々にレポートするか、又はそれらをＣＡ帯域構成から切り離してレポートするかのいずれかのＣＡシグナリングが定義される。これが可能なのは、ＵＥが一旦デリバリされると、当該ＵＥ内のＲＦ構成及びベースバンド処理キャパシティが固定化されるからである。このアプローチは、（恐らくは数多くの）サポートされる帯域コンビネーションの各々についてケイパビリティの全ＵＥセットをシグナリングする必要性を回避する。そのうえ、フォールバックケイパビリティは暗黙的にシグナリングされ、そのデータを送信する必要性が排除される。
【００１７】
１つの実施形態は、ユーザ機器（ＵＥ）からワイヤレス通信ネットワーク内のノードへキャリアアグリゲーション（ＣＡ）ケイパビリティを通信する方法に関連する。上記ＵＥの無線周波数（ＲＦ）動作に関連するＣＡケイパビリティと、上記ＵＥのベースバンド（ＢＢ）動作に関連するＣＡケイパビリティとが別々に上記ネットワークノードへ送信される。上記ＲＦケイパビリティは、サポートされる周波数帯域の数及びサポートされるＭＩＭＯレイヤの数を含む。上記ＢＢケイパビリティは、サポートされる統合帯域幅の標識及びサポートされるチャネル状態情報（ＣＳＩ）プロセス複雑度の標識を含む。
【００１８】
他の実施形態は、ワイヤレス通信ネットワークのノードによる、ユーザ機器（ＵＥ）からキャリアアグリゲーション（ＣＡ）ケイパビリティを取得する方法に関連する。別々に送信された、上記ＵＥの無線周波数（ＲＦ）動作に関連するＣＡケイパビリティと、上記ＵＥのベースバンド（ＢＢ）動作に関連するＣＡケイパビリティとが受信される。上記ＲＦケイパビリティは、サポートされる周波数帯域の数及びサポートされるＭＩＭＯレイヤの数を含む。上記ＢＢケイパビリティは、サポートされる統合帯域幅の標識及びサポートされるチャネル状態情報（ＣＳＩ）プロセス複雑度の標識を含む。ＵＥのＲＦ又はＢＢ動作に関連する受信される上記ＣＡケイパビリティは、１つ以上の無線動作タスク又は無線リソース管理タスクを構成し又は実行するために利用される。
【図面の簡単な説明】
【００１９】
【図１】３ＧＰＰ  ＴＳ３６．１０１，ｖ１３．１．０のテーブル５．６Ａ−１である（従来技術）。
【図２】３ＧＰＰ  ＴＳ３６．１０１，ｖ１３．１．０のテーブル５．６Ａ．１−１である（従来技術）。
【図３】３ＧＰＰ  ＴＳ３６．１０１，ｖ１３．１．０のテーブル５．６Ａ．１−２である（従来技術）。
【図４】３ＧＰＰ  ＴＳ３６．１０１，ｖ１３．１．０のテーブル５．６Ａ．１−２ａである（従来技術）。
【図５】３ＧＰＰ  ＴＳ３６．１０１，ｖ１３．１．０のテーブル５．６Ａ．１−３である（従来技術）。
【図６】レガシーＣＡケイパビリティシグナリングの階層的構造を描いたグラフである（従来技術）。
【図７】帯域幅クラス（bandwidthclass）ごとにＤＬ及びＵＬについてのＭＩＭＯレイヤの最大数をレポートするためのある構造を描いたテーブルである。
【図８】サポートされる帯域の帯域間コンビネーションをレポートするためのSupportedInterbandCombinationsデータ構造の部分図である。
【図９】サポートされる帯域の帯域内コンビネーションをレポートするためのSupportedIntrabandCombinationsデータ構造内のエントリである。
【図１０】総ＢＢ処理ケイパビリティに基づいてＵＥがサポート可能なＭＩＭＯレイヤとＣＳＩプロセスとの間の関係をレポートするための代表的なデータ構造である。
【図１１】ＵＥごとのＢＢ処理パワーのパラメータ化された等式である。
【図１２】基本構成に対する、多様なＭＩＭＯ及び帯域幅コンビネーションの処理複雑度のテーブルである。
【図１３】基本構成に対する、多様なＣＳＩプロセス及び帯域幅コンビネーションの処理複雑度のテーブルである。
【図１４】多様なサポートされる周波数帯域のコンビネーションの図である。
【図１５】ＵＥからネットワークへＣＡ  ＲＦ及びＢＢケイパビリティを別々に送信する方法のフロー図である。
【図１６】ＵＥから別々に送信されたＣＡ  ＲＦ及びＢＢケイパビリティを受信する方法のフロー図である。
【図１７】ワイヤレス通信ネットワークノードのブロック図である。
【図１８】ＵＥのブロック図である。
【図１９】ＵＥにおいて動作可能な機能モジュールを描いている。
【図２０】ネットワークノードにおいて動作可能な機能モジュールを描いている。
【図２１Ａ】図１０及び図１１のシグナリングの一実装を実証するリリース１２シグナリングコードのセグメントである。
【図２１Ｂ】図１０及び図１１のシグナリングの一実装を実証するリリース１２シグナリングコードのセグメントである。
【図２１Ｃ】図１０及び図１１のシグナリングの一実装を実証するリリース１２シグナリングコードのセグメントである。
【図２１Ｄ】図１０及び図１１のシグナリングの一実装を実証するリリース１２シグナリングコードのセグメントである。
【発明を実施するための形態】
【００２０】
［レガシーシグナリング］
図１は、３ＧＰＰ技術仕様（ＴＳ）３６．１０１，ｖ１３．１．０のテーブル５．６Ａ−１を複製したテーブルである。このテーブルは、６つの異なるＣＡクラス定義（Ａ〜Ｉ）を描いている。
【００２１】
ＣＡ構成及び帯域幅コンビネーションセットは、ＴＳ３６．１０１において異なるＣＡケイパビリティと共に定義されてもいる。例えば、図２は、テーブル５．６Ａ．１−１の複製であり、キャリア周波数の昇順で各ＣＣについてのサポートされる帯域幅コンビネーションと共に帯域内隣接ＣＡ構成を示している。上記テーブル内の別の列に、ＵＬ  ＣＡケイパビリティも示されている。図３は、テーブル５．６Ａ．１−２を描いており、２つの周波数帯域の間の帯域間ＣＡとしての他のＣＡケイパビリティを示している。
【００２２】
同じ周波数帯域内の様々な帯域幅の配備のより高い柔軟性を提供する目的で、上記テーブル内で最後の列において帯域幅コンビネーションセットもまた導入されている。図４は、テーブル５．６Ａ．１−２ａを描いており、３つの帯域を包含する帯域間アグリゲーションについてのＣＡ構成を示している。最後の列に描かれているように、同じＣＡ構成の下で異なる帯域幅コンビネーションセットをサポートすることができる。図４の例では、セット０はそうしたＣＡ構成でサポート可能な最大の統合帯域幅のスーパーセットであり、一方で、セット１は、ＵＥがやはりサポートする、より小さい最大統合帯域幅を伴うセット０のサブセットである。
【００２３】
そのうえ、帯域内非隣接ＣＡのＣＡ構成を、２つのサブブロックと共に示すことができ、その場合、サブブロックは一帯域内で隣り合うＣＣの集合として定義される。例えば、図５は、テーブル５．６Ａ．１−３を描いており、各サブブロックが単一のＣＣ又は隣接ＣＡのいずれかとして構成される限り、それらを帯域内非隣接ＣＡとして見ることができることを示している。
【００２４】
使用される他の考え方は、帯域の中のキャリアが統合される２つ以上の帯域を表すＣＡ帯域であり、例えば、ＣＡ＿Ｘ−Ｙは、何らかのＣＡ帯域幅クラスの帯域Ｘ及び帯域Ｙ内のキャリアのアグリゲーションを表す。
【００２５】
３ＧＰＰ  ＴＳ３６．３３１からのＵＥケイパビリティ情報エレメント（ＩＥ）によれば、ＣＡサポートのレガシーシグナリング標識は、次の階層的構造を有する：
・  RF_structure
・  Supported_band_insequence
・  Supported_bandcombination_insequence
・  Supported_bandcombinationset_insequence
・  multipleTimingAdvance
・  simultaneousRx-Tx
・  bandInfoEUTRA
・  dc-Support
・  supportedNAICS-2CRS-AP
・  commSupportedBandsPerBC
・  BandParameters
・  Bandparameter_DL
・  CABandClass_DL
・  CA-MIMO-ParametersDL
・  Bandparameter_UL
・  CABandClass_DL
・  CA-MIMO-ParametersUL
・CSIprocess
【００２６】
［帯域別のＣＡ  ＭＩＭＯケイパビリティ及びＣＳＩプロセス］
また、図６は、レガシーＣＡケイパビリティシグナリングの構造を描いている。この図は、Ｒ２−１５２９１３（3GPP  TSG  RAN  WG2  Meeting  #90,  Fukuoka,  Japan,  25-30  May  2015，“LS  to  RAN4  on  capability  signaling  for  B5C”）からの複製である。図６が示すように、ＭＩＭＯ／ＣＳＩプロセスケイパビリティ（及び追加的にＮＡＩＣＳ  ＣＡケイパビリティ）などのＣＡケイパビリティは、bandwidthClass/bandごとか又はbandCombinationごとかのいずれかで別々にレポートされる。
【００２７】
特にＵＥが５つよりも多くのＣＣをサポートする際の、レガシーＣＡケイパビリティシグナリングの過剰なサイズには、数多くの理由が存在する。それらは以下を含む：
・それら帯域のうちのサポートされる周波数帯域及び帯域コンビネーションの数の増加
・各帯域コンビネーションがＣＡのコンビネーションのスーパーセットとサブセットとの間で同じでないかもしれない他のケイパビリティを示唆することでの、フォールバック構成の明示的なシグナリング
・帯域内非隣接ＣＡコンビネーション及び帯域間ＣＡコンビネーションについて多重的な帯域エントリがシグナリングされる
・Ca-BandwidthClassがＤＬ及びＵＬへ分割され、サポートされる各bandwidthClassが明示的にシグナリングされる
・supportedMIMO-CapabilityがＤＬ及びＵＬへ分割される。加えて、それはbandwidthClassごとに示される
・各帯域コンビネーションについてＵＥのサポートされる帯域ごとにinterFreqNeedForGaps及びinterRAT-NeedForGapsがシグナリングされる
・近日合意された通り、各帯域コンビネーションについて帯域エントリごとに、及び隣接統合キャリアのケースではさらにＣＣごとに、supportedCSI-Procが示される
・帯域幅コンビネーションセットが帯域コンビネーションごとにシグナリングされ、最大３２個までのビット（値）をとるが、そのほとんどはＲＡＮ４により使用されない
・１つのＣＡ帯域コンビネーションが１回よりも多くシグナリングされ得る
【００２８】
帯域コンビネーションごとに、ＵＥは、当該帯域コンビネーション内の各帯域のBandwidthClass及び対応するＭＩＭＯ／ＣＳＩケイパビリティをレポートする。それら帯域幅クラスは、７タイプのBandwidthClassを含み、それらについて最大帯域幅は８００ＲＢまで、ＣＣ数は８個までであり得る。
【００２９】
［ＮＡＩＣケイパビリティ］
３ＧＰＰ  ＴＳ３６．３３１，ｖ１２．５．０は、２５ＰＲＢのステップサイズで、ＵＥによりサポートされることになるＣＣ数及び最大統合帯域幅を示すための帯域非依存（band  agnostic）のシグナリングとしてのネットワーク支援干渉除去（ＮＡＩＣ）ＣＡケイパビリティを、naics-Capability-Listとして定義している。このリストは、ＵＥがＮＡＩＣＳをサポートすること、即ち、サービングセルから支援情報を受信し及びそれを用いて少なくとも１つの帯域コンビネーションについて近隣セルの干渉を除去し又は抑制することをサポートすることを示す。それが存在しなければ、ＵＥはどの帯域コンビネーションについてもＮＡＩＣＳをサポートしない。フィールドnumberOfNAICS-CapableCCは、ＮＡＩＣＳ処理がサポートされるコンポーネントキャリアの最大数を示し、フィールドnumberOfAggregatedPRBは、それらコンポーネントキャリアにまたがる（ＰＲＢ数として表現される）最大統合帯域幅を示す。
【００３０】
numberOfNAICS-CapableCC＝１の場合、ＵＥはnumberOfAggregatedPRBについてレンジ｛５０，７５，１００｝のうちの１つの値をシグナリングする；
numberOfNAICS-CapableCC＝２の場合、ＵＥはnumberOfAggregatedPRBについてレンジ｛５０，７５，１００，１２５，１５０，１７５，２００｝のうちの１つの値をシグナリングする；
numberOfNAICS-CapableCC＝３の場合、ＵＥはnumberOfAggregatedPRBについてレンジ｛５０，７５，１００，１２５，１５０，１７５，２００，２２５，２５０，２７５，３００｝のうちの１つの値をシグナリングする；
numberOfNAICS-CapableCC＝４の場合、ＵＥはnumberOfAggregatedPRBについてレンジ｛５０，１００，１５０，２００，２５０，３００，３５０，４００｝のうちの１つの値をシグナリングする；
numberOfNAICS-CapableCC＝５の場合、ＵＥはnumberOfAggregatedPRBについてレンジ｛５０，１００，１５０，２００，２５０，３００，３５０，４００，４５０，５００｝のうちの１つの値をシグナリングする。
【００３１】
［フォールバック］
フォールバックは、ＣＡ構成についてのセカンダリセル（キャリア）の解放として定義される。マルチキャリアをＵＥによりサポートすることができる場合のＣＡの既存の概念の下では、いかなるＣＡ構成についても、サポートされる最大のＣＡと共に、サポートされるＣＡ構成のサブセットもまたＵＥによりサポートされるべきであることが義務とされており、これはＣＡのフォールバックケイパビリティと呼ばれる。具体的には、ＵＥは、セカンダリセルの解放から帰結するＣＡ構成をサポートしなければならない。８個よりも多くのＣＣについては、これは、帯域固有の及び帯域非依存のシグナリングの双方についてレガシーのＣＡケイパビリティ（８個以下のキャリア）をも示すような後方互換性を伴うＣＡケイパビリティシグナリングを設計することが必要であることを意味する。
【００３２】
［本発明のシグナリング階層化］
本発明の多様な実施形態において、ＣＡケイパビリティシグナリングは、サポートされる帯域幅をレポートするための代替案の列挙と共に、次のような階層構造を取り得る。なお、ここでより充分に議論されるように、その構造は、ＲＦ構造とＢＢケイパビリティとの間できれいに分かれる。
・  RF_structure
・  Supported_band_insequence
・  IntraBandParameters
・  サポートされるサブブロック数
・  隣接及び非隣接帯域内ＣＡのサポート：
・  サブブロックごとのＣＣ数（例、周波数の昇順で）
・  代替案１：SupportedBandwidthPerCC：各サブブロック内のＣＣ別のサポートされる帯域幅についてのビットマップ
・  代替案２：BandwidthCombinationSetPerSubblock：サブブロック別のサポートされる帯域幅コンビネーションセットのビットマップ
・  代替案３：BandwidthCombinationSet：帯域別のサブブロックをまたいだサポートされる帯域内隣接及び非隣接ＣＡ構成についてのビットマップ又は帯域幅コンビネーションセットインデックス
・  MIMO_RFcapability
・  Supported_interbandcombination_insequence
・  Supported_interbandcombinationset_insequence
・  ＤＬについて組み合わせ可能な周波数帯域番号の文字列：組み合わせ可能なＮｋ個の帯域（＞５であり得る）のセット、より少ないどの帯域番号へのフォールバック動作もサポートされなければならない
・  multipleTimingAdvance
・  simultaneousRx-Tx
・  dc-Support
・  supportedNAICS-2CRS-AP
・  BB_capability
・  MIMO_BBcapability
・  CSI_process
・  NAICS
・  ＣＲＳ−ＩＣ、制御チャネルＩＣケイパビリティといった、ベースバンド複雑度に関連する他のケイパビリティ
【００３３】
本発明の実施形態によれば、ＭＩＭＯ／ＣＳＩ／ＮＡＩＣ処理キャパシティといったＢＢ関連のＣＡケイパビリティは、サポートされる周波数帯域、サブグループ及び帯域幅クラスといったＲＦケイパビリティとは別々にレポートされる。これが、サポートされる帯域コンビネーションのあらゆる候補ごとに同じ情報をレポートする繰り返しを回避し、８個よりも多くのＣＣのアグリゲーションへレガシーのＣＡケイパビリティシグナリングが拡張されたならば要したはずのものよりも格段に小さいペイロードでＵＥからネットワークへ同じ情報を送信することを可能にする。
【００３４】
［ＲＦケイパビリティシグナリング］
［ＭＩＭＯレイヤシグナリング］
ＲＦ側からのＭＩＭＯケイパビリティは、様々なＣＡ帯域及びそれら帯域内のサポートされるアンテナ数に、特に周波数に依存するが、帯域幅コンビネーションには依存しない。ＲＦケイパビリティシグナリングについて複数のオプションが提供される。
【００３５】
１つの実施形態において、サポートされるＭＩＭＯレイヤ数に関する情報がサポートされる各帯域について示される。
【００３６】
１つの実施形態において、サポートされるＭＩＭＯレイヤ数に関する情報がサポートされる各帯域コンビネーションについて示される。
【００３７】
１つの実施形態において、サポートされるＭＩＭＯレイヤ数に関する情報がサポートされる各帯域コンビネーションセットについて示される。
【００３８】
１つの実施形態において、サポートされるＭＩＭＯレイヤ数に関する情報がサポートされる各帯域について帯域幅クラス別に示される。この実施形態の一例が図７に描かれている。bandwidthClassが１つよりも多くのキャリアを示唆する場合、それは帯域上のそれら隣接キャリアについての総ＭＩＭＯケイパビリティを意味する。その場合、その総ＭＩＭＯケイパビリティを尊重しつつ、各キャリアについてのレイヤ数の構成はネットワーク次第である。
【００３９】
各実施形態において、サポートされるＭＩＭＯレイヤ数に関する情報は、サポートされるＭＩＭＯレイヤの最大数であってもよく、又はサポートされるＭＩＭＯレイヤの最小数であってもよい。ＭＩＭＯキャパシティは、ＤＬ及びＵＬについて別々にシグナリングされる。ＵＥにより提供されるＭＩＭＯキャパシティは、ネットワークにより要求される周波数帯域のリストのみに制限されてもよい。
【００４０】
これら実施形態を組み合わせることができる。例えば、いくつかの帯域について、サポートされるＭＩＭＯレイヤ数に関する情報が帯域別に示され、一方で、他の帯域について、サポートされるＭＩＭＯレイヤ数に関する情報が帯域コンビネーション別に示されてもよい。
【００４１】
［サポートされる帯域間コンビネーションの標識］
SupportedInterbandCombinationsのリストにより、動作帯域（CA_band）のサポートされる組み合わせが示される。それらは、３ＧＰＰ  ＴＳ３６．１０１においてインデックス付けされ得る。各エントリは、図８に描いた構造を有する。“Ind”は、サポートされるCA_bandsのテーブル内のインデックスを表す（即ち、帯域間コンビネーション）。各CA_bandについて、帯域間コンビネーションに関連する特性が帯域ごとに列挙される。プライマリセル（ＰＣｅｌｌ）サポートを帯域を列挙することにより示すことができ、それらについて帯域エントリ（例えば、Ｘ）がダウンリンクのみに制限される。これは、帯域のペアに関連し得る：Ｙが含まれる場合、Ｘは、帯域Ｙと組み合わせられるならばＤＬのみである（かつＰＣｅｌｌ動作をサポートしないであろう）。帯域の文字列内の他のエントリについても同様である。Ｙ及びＺが示される場合、それは、コンビネーションCA_X-Y-ZにおいてＸが単にＤＬのみであり得ることをやはり意味する。
【００４２】
同様に、SupportedInterbandCombinationsリストは、どの帯域ペアにおいて所与の帯域（例えば、Ｘ）が非同時Ｔｘ／Ｒｘをサポートできるのみであるかを示し得る。これは、ＴＤＤ帯域にのみあてはまる。
【００４３】
フォールバック態様CA_X-Y、CA_Y-Z及びCA_X-Zの全てが暗黙的に示される。
【００４４】
［サポートされる帯域内コンビネーションの標識］
SupportedIntrabandCombinationsのリストにおいて、以下のＲＦ関連のエントリを各帯域（例えば、Ｘ）について示すことができる：
・サポートされるサブブロックの数
・サポートされるサブブロックにおけるＢＷクラス（任意の順序で、サポートされ得るＢＷクラス群の文字列）
・サポートされる帯域幅コンビネーションセット（恐らくは、隣接及び非隣接ＣＡの双方について必要とされる）
【００４５】
［帯域幅コンビネーションセット］
帯域幅コンビネーションセットは、帯域間コンビネーションCA_X-Y-Zについては示されず、代わりに、SupportedIntrabandCombinations内の各帯域エントリにより示されるであろう。これは、帯域内隣接ＣＡ及び帯域内非隣接ＣＡについてサポートされる既存のセットであり得る。図９は、代表的なエントリを描いている。各帯域について、３つの行が（１）当該帯域内で非ＣＡ、（２）帯域内隣接ＣＡ、及び（３）帯域内非隣接ＣＡへの参照を含む。“例外（exception）”を示す必要が無い場合には、後者はオプションであってよい。
【００４６】
そして、帯域内隣接ＣＡについての帯域幅セットは、サポートされる各帯域幅クラスについてビットマップを含み得る：例えば、Ｄが最大である場合、その帯域によりサポートされるＢ及びＣについてのビットマップもまた含まれ得る。帯域幅セットは、（例えば、CA_42C及びCA_42Dについて）恐らくは既存であり得る。
【００４７】
帯域内非隣接アグリゲーションについて、帯域幅セットは、サポートされるサブブロックの最大数に従って列挙され得る：ある帯域についてサポートされるのが最大３つのサブブロックである場合、２サブブロックについて１つのビットマップが、３サブブロックについて他のビットマップが含められる。代替的に、サポートされるサブブロックの最大数について“最大セット”が示されてもよい。
【００４８】
［ＢＢケイパビリティシグナリング］
本発明の実施形態によれば、ＵＥベースバンド処理ケイパビリティは、帯域別に又は帯域コンビネーション別によりもむしろ、ＵＥ別にシグナリングされる。総ＵＥ  ＢＢ処理ケイパビリティに関する情報もまたシグナリングされ、ネットワークがＵＥ向けにＢＢ処理をそのキャパシティに違反することなく構成することが可能とされる。１つの実施形態において、ＢＢ関連のＣＡケイパビリティは、ＭＩＭＯ／ＣＳＩプロセスについての統合ケイパビリティをレポートすることによりシグナリングされる。他の実施形態では、基本構成に対する相対的な各構成の複雑度がレポートされる。どちらのケースでも、ネットワークは、示されるＵＥのケイパビリティの範囲内でいかなる所望の構成にＵＥを構成してもよい。
【００４９】
［統合ＢＢケイパビリティレポーティング］
本実施形態において、次のうちの少なくとも１つがネットワークへレポートされる：
・  サポートされるＣＣの最大数
・  Ｍ個のレイヤをサポートする統合帯域幅（各ＣＣについての全帯域幅）
・  Ｎ個のレイヤをサポートする統合帯域幅（各ＣＣについての全帯域幅）
・  Ｋ個のレイヤをサポートする統合帯域幅（各ＣＣについての全帯域幅）
・  Ｘ個のＣＳＩプロセスをサポートする統合帯域幅（各ＣＣについての全帯域幅）
・  Ｙ個のＣＳＩプロセスをサポートする統合帯域幅（各ＣＣについての全帯域幅）
・  Ｚ個のＣＳＩプロセスをサポートする統合帯域幅（各ＣＣについての全帯域幅）
【００５０】
１つの実施形態において、サポートされるＭＩＭＯレイヤとＣＳＩプロセスとの間の関係が明示的にシグナリングされてもよい。例えば、図１０は、ＵＥが自身のＭＩＭＯ及びＣＳＩプロセスについての総キャパシティのみならずそれらケイパビリティがどのように関連するかをもネットワークへシグナリングし得る１つの手法を示している（それらがベースバンド処理リソースを共用するためである）。
【００５１】
図１１は、総ＵＥ  ベースバンド処理ケイパビリティの代替的な定義を描いている。１つの実施形態において、basebandProcessingPowerPerUE及びprocessingPowerPer  MIMOLayer/Per  CSI/Per  NAICS/Per  CAがＵＥによりネットワークへシグナリングされる。そして、ネットワークは、ＵＥにおけるこの示された総ベースバンド処理パワーに従って、統合されるキャリア／ＭＩＭＯレイヤ／ＣＳＩプロセス／ＮＡＩＣＳ向けＰＲＢの数を決定する。
【００５２】
ベースバンド処理の視点から異なる機能性の間に依存関係があってもよい。このケースにおいて、各機能性について別途のファクタ（α，β，γ，δ）のセットを追加することができ、ＵＥケイパビリティにおいてシグナリングすることもできる。それらファクタの各々は、値レンジ（０，１］を有し得る：（ｐ０５＝０．０５、ｐ１０＝０．１０、ｐ１５＝０．１５、ｐ２０＝０．２、…、ｐ９５＝０．９５、ｐ１００＝１）。ＵＥ総ベースバンド処理ケイパビリティの定義（図１１）は、後に導入される任意の新たなベースバンドケイパビリティを含むように拡張可能である。
【００５３】
図２１Ａ〜図２１Ｄは、リリース１２シグナリングに基づく、図１０及び図１１に描いた情報のＵＥ  ＣＡ  ＢＢケイパビリティシグナリングの１つの例を実証する、UE-EUTRA-Capability情報を描いている。図２１Ａは、全体的なＵＥ−ＥＴＲＡケイパビリティに関連する。図２１Ｂは、ＲＦパラメータに関連し、サポートされる帯域コンビネーション及びそれら帯域に関連するＭＩＭＯレイヤケイパビリティを搬送する。図２１は、図１０の情報−ＭＩＭＯレイヤ数の関数としてのＣＳＩプロセスサポートを描いている。図２１Ｄは、図１１の情報−図１１の式を含む多様なパラメータを送信することによりベースバンドケイパビリティを送信する代替的な方法を描いている。当業者は、図２１Ａ〜図２１Ｄが代表的であって例示的に過ぎないこと、及び上述した情報が多様な手法でシグナリングされてもよいことを認識するであろう。
【００５４】
［相対的ＢＢケイパビリティレポーティング］
他の実施形態において、基本構成が定義され、ＵＥは基本構成に対して相対的な形で、自身のＢＢ処理ケイパビリティをレポートする。基本構成は、予め定義されてもよく、又はＵＥとネットワークとの間で動的にシグナリングされてもよい。ＵＥは、基本構成に対する各構成についての相対複雑度、又は統合される相対複雑度のいずれかをネットワークへレポートする。
【００５５】
例えば、２×２ＭＩＭＯ及び２０ＭＨｚが基本構成であるものと想定する。他の構成について、ＵＥは、基本構成に対するその相対複雑度をレポートする。１つの例が図１２に示されており、そこでは２×２ＭＩＭＯ及び２０ＭＨｚという基本構成は複雑度“ｘ”を有する。統合帯域幅が１００ＭＨｚでありＵＥが４×４ＭＩＭＯで動作する場合、総複雑度は１９ｘである。ＵＥは、各構成について、これら全ての相対複雑度をレポートすることができる。
【００５６】
各ＵＥについての統合される相対複雑度、及び各構成についての相対複雑度に基づいて、ネットワークは、ＵＥのために柔軟にＣＡを構成することができる。例えば、サポートされる機能ブロックの最大数が５ｘである場合、ネットワークは、１００ＭＨｚ及び２×２ＭＩＭＯをサポートするようにＵＥを構成し、又は４０ＭＨｚ及び２×４ＭＩＭＯをサポートするようにＵＥを構成することができる。
【００５７】
１つの実施形態において、相対複雑度がパラメータ化される。例えば、図１２に描いた相対複雑度は、次のようにパラメータ化されてもよい：
ComplexityMIMO＝ｆ１（α，ＭＩＭＯレイヤ数，帯域幅，送信アンテナ，送信モード，受信機タイプ）
【００５８】
１つの実施形態において、上記関数ｆ１（.）は次の通りである
ｆ１＝α×NumberofMIMOLayers×NumberofPRBs×NumberofTransmitAntennas
この式において、異なる構成についてαが異なってもよい。
【００５９】
同様に、他のＢＢケイパビリティ−ＣＳＩプロセス構成、ＮＡＩＣ構成、ＣＲＳ干渉除去など−を基本構成に対して相対的なものとしてレポートすることができる。図１３は、ＣＳＩプロセス構成についての相対複雑度のテーブルを描いており、基本構成は２つのＣＳＩプロセス及び１００ＭＨｚの統合帯域幅である。
【００６０】
ＣＳＩプロセスについての相対複雑度もまたパラメータ化されることができる。例えば、図１３に描いた相対複雑度は、次のようにパラメータ化されてもよい：
ComplexityCSI-Process＝ｆ２（β，ＣＳＩ  ＲＳポート数，帯域幅）
【００６１】
１つの実施形態において、上記関数ｆ２（.）は次の通りである
ｆ２＝β×NumberofCSIRSPorts×ＢＷ
この式において、異なる構成についてβが異なってもよい。
【００６２】
ＮＡＩＣ又はＣＲＳ−ＩＭについて、ＮＡＩＣ又はＣＲＳ−ＩＭの複雑度を、上で議論したように、ＭＩＭＯレイヤと同様にテーブル化し又はパラメータ化することができる。１つの実施形態において、そのパラメータ化は次式により与えられる：
ComplexityNAIC-Process＝ｆ３（γ，攻撃側セル数，帯域幅，攻撃側セルのＣＲＳポート数）
【００６３】
１つの実施形態において、上記関数ｆ３（.）は次の通りである
ｆ３＝γ×NumberofAggressorCells×ＢＷ×NumberofAggressorCelllsCRSports
この式において、異なる構成についてγが異なってもよい。
【００６４】
［測定ギャップケイパビリティ］
レガシーのシグナリングにおいて、ＵＥは、帯域コンビネーション別に、サポートされる各ＥＵＴＲＡＮ及びＲＡＴ間（inter-RAT）帯域について、周波数間（inter-frequency）測定又はＲＡＴ間測定のために測定ギャップを要するかを示す。１つの実施形態において、このギャップケイパビリティシグナリングは、ネットワーク要求型の帯域コンビネーション手続の一部としてネットワークにより要求される周波数帯域のリストについてのみ測定ギャップを求める要求をレポートすることにより低減される。
【００６５】
さらに、ＲＡＴ間ケイパビリティについて、ネットワークは、ＵＥケイパビリティの問合せ（UE  Capability  Enquiry）内に他のＲＡＴ（ＵＴＲＡＮ、ＧＥＲＡＮ、ＣＤＭＡ２０００など）の要求される帯域のリストを含めてもよい。このリストが受信される場合、ＵＥは、要求された帯域の範囲内に制限される測定ギャップケイパビリティを含めて、他のＲＡＴについてサポートされる帯域及び対応するケイパビリティをレポートする。ＵＥケイパビリティの問合せ内にこのリストが含まれない場合、ＵＥは、ＲＡＴ間ケイパビリティを全くレポートすべきでない。
【００６６】
［帯域コンビネーションから切り離されるレポーティングの組み合わせ］
１つの実施形態において、ＵＥのＲＦ及びＢＢケイパビリティは、別々にレポートされず、むしろ帯域のリストに各バンド内のサポートを示すビットマップを組み合わせたものを利用する効率的なやり方でレポートされる。この実施形態において、ＵＥは、以下の情報をネットワークへ送信する（Ｃｎという番号付けは単に参照用である）：
・Ｃ１：周波数帯域のコンビネーションのリスト、その中で各エントリがＵＥによりサポートされるＭ個の帯域のうちのＮｋ個の帯域のサポートを示す（ｋは周波数帯域コンビネーションのリスト内のインデックスである）。それらＮｋ個の帯域のうちのＮｋ未満へのフォールバックが暗黙的に示される；
・Ｃ２：Ｎｋ個の帯域の各エントリについて、異なる周波数帯域の組み合わせに関連するケイパビリティが示される。Ｎｋ個の帯域（及びフォールバック態様）の間でケイパビリティをマッピングするためにビットマップが使用される。例えば、同時ＴＸ／ＲＸ、マルチタイミングアドバンス、及びデュアルコネクティビティサポートなど；
・Ｃ３：サポートされるサブブロック数やサポートされる帯域内隣接及び非隣接アグリゲーション情報を含む、帯域固有のケイパビリティのリスト。例えば、最大ＣＡ  ＢＷクラス、ＣＣ数、ＭＩＭＯケイパビリティ、ＣＳＩプロセスなど（例えばサブブロック別）。各帯域固有のケイパビリティは、サポートされる帯域のリスト内の各帯域エントリに対応する同じ順序で列挙される。ある帯域の範囲内のケイパビリティも、その帯域が他の帯域と組み合わせられる場合には当てはまる；及び
・Ｃ４：全ての帯域及びキャリアをまたいだ“最大限の”ケイパビリティ。例えば、統合されるキャリアの総数。
【００６７】
Ｎｋ個の帯域のサポートされる各セットは、Ｎｋ個の帯域番号のエントリの文字列において示される。Ｎｋ個の帯域の各エントリは、サポートされるＣＡ帯域を表し、そのＮｋ個の帯域のコンビネーションに固有のケイパビリティを含む。それらケイパビリティは、例えば、同時Ｔｘ／Ｒｘ（ＦＤＤ及びＴＤＤのコンビネーションについて）、及び複数の帯域の間のマルチタイミングアドバンスのサポートであってもよい。
【００６８】
動作帯域（Ｎｋ個までの帯域）のサポートされるコンビネーションは、ＵＥによりサポートされるＭ個の帯域のうちでＮｋ個の帯域のセットが示され、全てのあり得るフォールバック態様がサポートされる、という手法で示される。Ｎｋ個の帯域の各セットは一意であり、Ｎｋ個未満の帯域へのフォールバック態様が暗黙的に示される。Ｎｋ個の帯域のうちで全てのフォールバック態様がサポートされるわけではない場合、Ｎｋ個の帯域は、サポートされる帯域コンビネーションのリストにおいて複数のエントリで、各エントリについて全てのフォールバックがサポートされるように列挙され得る。
【００６９】
Ｎｋ個の帯域の各エントリにおいて全てのフォールバック態様が暗黙的に示されることから、Ｎｋ個の帯域の全てにわたって特定の帯域間ケイパビリティがサポートされないケースのために、それらＮｋ個の帯域の間の機能性のサポートの標識が含められなければならない。例えば、組み合わせられる帯域のうちのいくつかがＴＤＤをサポートするケースでは、Ｎｋ個の帯域の全てにわたって同時Ｔｘ／Ｒｘはサポートされないかもしれない。この目的のために、ビットマップ又は類似の配置が使用されてよい。１つの実施形態において、ビットマップ標識は、帯域のペアに基づき、Ｂｘ及びＢｙが帯域ｘ及び帯域ｙをそれぞれ表すとして、ビットマップ標識において各ビットが帯域ペア（Ｂｘ，Ｂｙ）にわたってそのケイパビリティがサポートされることを示す。これは、Ｎｋ個の帯域の各コンビネーションについてビットマップの長さがＮ（Ｎ−１）／２であることを意味する。（Ｂｘ，Ｂｙ）、（Ｂｘ，Ｂｚ）及び（Ｂｙ，Ｂｚ）が示される場合、それは、ＵＥが３つの帯域をまたいで特定のケイパビリティをサポートし得るならば、そのケイパビリティが３つの帯域（Ｂｘ，Ｂｙ，Ｂｚ）をまたいでサポートされることを意味する。１つの例：マルチタイミングアドバンス（ＴＡ）が帯域のペア（Ｂｘ，Ｂｙ）、（Ｂｘ，Ｂｚ）及び（Ｂｙ，Ｂｚ）においてサポートされる場合、ＵＥが３つ（サポートされるＴＡグループ数）の帯域をまたいでマルチＴＡを管理するケイパビリティを有するならば、それは（Ｂｘ，Ｂｙ，Ｂｚ）をまたいでサポートされる。
【００７０】
他の実施形態では、同時に使用され得る帯域をビットパターンが示す。この実施形態では、ビットマップサイズは２＾Ｎ−１＞＞Ｎ（Ｎ−１）／２になるであろう。このケースにおいて、“１”のみを含むＮというビット列は、そのコンビネーションの全ての帯域にわたってそのケイパビリティがサポートされることを意味する。より短いビットマップを用いて、ペアごとの標識が作られてもよい。
【００７１】
ある実施形態では、同時Ｔｘ／Ｔｘのためのビットマップが、同時Ｔｘ／Ｒｘケイパビリティは帯域ペア間にあるという事実に基づいて考案される：ＵＥの無線フロントエンドは、ある帯域における受信を、他の帯域におけるＵＬ送信がある中で可能にする。よって、最大でＮ個の帯域が組み合わせられ得る場合、Ｎ×（Ｎ−１）／２個のエントリにより又は上述した代替的な標識を用いてそれを示すことができる。
【００７２】
ビットマップサイズは、組み合わせ可能な帯域の数に依存して変化し得る。ビットは、例えば（Ｂ１，Ｂ２）、（Ｂ１，Ｂ３）、…、（ＢＮ−１，ＢＮ）というように、昇順のシーケンスを用いる曖昧性の無い手法で並べられてよく、そのようにして、ネットワークは、サポートされる帯域の様々な数について各ビットが何を意味するかを知得しなければならない。
【００７３】
ある実施形態では、同様の手法でマルチタイミングアドバンス（ＭＴＡ）のためのビットマップが考案される：それは、マルチＴＡ管理が使用可能な帯域ペアを記述する。ある帯域の範囲内の複数のキャリアの間のＭＴＡケイパビリティは、帯域固有のエレメントにおいて示される。実際上、ＵＬケイパビリティが近い将来において５つの帯域を超える可能性は低く、よって、事業者はレガシーシグナリングに依拠してもよい。
【００７４】
デュアルコネクティビティ（ＤＣ）のためのビットマップは、非同期的な動作について異なるセルグループ（ＣＧ）を収容可能な帯域のコンビネーションを記述する。ある帯域の範囲内の複数のキャリアの間のＣＧケイパビリティは、帯域固有のエレメント（ある帯域の範囲内のＭＣＧ及びＳＣＧであってもよい）において示される。
【００７５】
１つの実施形態において、ネットワークへシグナリングされるＣＡケイパビリティの最初の２つの項目（例えば、Ｃ１及びＣ２）は、SupportedInterBandCombinationリスト内で特定され、その中に帯域リストの文字列が組み合わせ可能な動作帯域を示すためにあり、フォールバックは暗黙的に示される。機能性（例えば、同時Ｔｘ／Ｒｘ）はビットマップを用いて管理される。組み合わせられる各帯域の範囲内のケイパビリティは、帯域別に単一のエントリにより示される。
【００７６】
SupportedInterBandCombination
｛
ＤＬ向けに組み合わせ可能な周波数帯域番号の文字列：  組み合わせ可能なＮｋ個の帯域のセットであり、より少ない帯域番号へのフォールバック動作がサポート必須
ＵＬ向けに組み合わせ可能な周波数帯域番号の文字列：  組み合わせ可能なＮｋ個の帯域のセットであり、より少ない番号へのフォールバックがサポート必須
同時Ｔｘ／Ｒｘ（Simultaneous  Tx/Rx）：  ビットマップ又はそれに類するもの
マルチタイミングアドバンス（MultipleTimingAdvance）:  ビットマップ又はそれに類するもの
ＤＣサポート（DC  support）：  ビットマップ［標準に従うが、Ｎ＞４についてこのビットマップは非常に大きくなることに留意されたい］、異なるＣＧを収容可能な帯域ペアを記述
帯域幅コンビネーションセット（BandwidthCombinationSet）：  ビットマップ
｝
【００７７】
サポートされる全ての帯域コンビネーションがSupportedInterBandCombinationのリスト内に含まれる。図１４は、Ｍ＝１２個の周波数帯域Ｂ１〜Ｂ１２をサポートするＵＥにより示されるSupportedInterBandCombinationのリストの一例を示している。この例のＵＥは、１２個のうち６個までの帯域のコンビネーションをサポートしているが、ＵＥの無線フロントエンドによる制限として、６つの帯域の全ての組み合わせがサポートされるわけではない。コンビネーションＢ１＋…＋Ｂ６のサポート（ＣＡ帯域  CA_1-2-3-4-5-6）は、例えばＢ１＋Ｂ２＋Ｂ３＋Ｂ４といったフォールバック態様もまたサポートされることを意味する。フォールバックの暗黙的なシグナリングは、ネットワークへ送信する必要のあるケイパビリティ情報を有意に低減する。最大３２個までのＣＣについてケイパビリティ情報をサポートするために、この低減が必要である。
【００７８】
レガシーシグナリングとは対照的に、動作周波数帯域のサポートされる各組み合わせに関連するケイパビリティは、一動作帯域の範囲内のケイパビリティとは別々に示される。よって、サポートされる各帯域間コンビネーションについて帯域内ケイパビリティを繰り返す必要が無く、これが送信される情報の量を低減する。帯域又は周波数帯域コンビネーション別に列挙される上記ケイパビリティパラメータは、単に本解決策が実現可能であることを示すための一例として提供されている。
【００７９】
各帯域について、帯域固有のケイパビリティ（Ｃ３）がＵＥによりサポートされる周波数帯域の文字列と同じ順序のリスト内に記述され、各帯域について１つのケイパビリティ項目がある。帯域固有の情報は、隣接ＣＡ及び非隣接ＣＡの双方をカバーする。よって、各帯域固有のエレメントは、例えば、サブブロックをまたいだデュアルコネクティビティのための異なるＣＧなどに関する情報をも含む。
【００８０】
特定の帯域についてのケイパビリティエレメントの一例が（代替的な実施形態の注記と共に）以下に列挙される：
【００８１】
SupportedCACapabilityPerBand
｛
サポートされるサブブロック数
隣接及び非隣接帯域内ＣＡのサポート
｛
サブブロック別の最大ＵＬ  ＢＷクラス（例えば、周波数の昇順）
サブブロック別の最大ＤＬ  ＢＷクラス（例えば、周波数の昇順）
サブブロック別のＣＣ数（例えば、周波数の昇順）
代替案１：ＣＣ別サポート帯域幅（SupportedBandwidthPerCC）：  各サブブロックの範囲内のＣＣ別のサポートされる帯域幅についてのビットマップ
代替案２：サブブロック別帯域幅コンビネーションセット（BandwidthCombinationSetPerSubblock）：  サブブロック別のサポートされる帯域幅コンビネーションセットのビットマップ
ケイパビリティがサブブロック別に同じではない場合、各サブブロック内の複数のＣＣをまたいだ又は各ＣＣのＵＬ及びＤＬ  ＭＩＭＯケイパビリティ
各サブブロック内の複数のＣＣをまたいだＣＳＩプロセス
｝
代替案３：帯域幅コンビネーションセット（BandwidthCombinationSet）：  帯域別のサブブロックをまたいだサポートされる帯域内隣接及び非隣接ＣＡ構成についての、ビットマップ又は帯域幅コンビネーションセットインデックス
マルチタイミングアドバンス（MultipleTimingAdvance）：  当該帯域の範囲内のＣＣ間
ＤＣサポート：  当該帯域の範囲内の異なるＣＣへのキャリアのマッピング
｝
【００８２】
ＵＬ及びＤＬのＭＩＭＯケイパビリティは、複数のキャリア又は複数のサブブロックをまたいでサポートされるレイヤの数、及び全てのキャリアについてその最大のレイヤ数がサポートされるわけではないか、をも示す。ＭＩＭＯケイパビリティは、各サブブロックへマッピングされてもよい。これは、一サブブロックの範囲内の各ＣＣのＭＩＭＯケイパビリティの標識を含むこともできる。帯域内ＣＡが当該帯域においてサポートされない場合、サブブロック数は１であり、単一のＣＣのみを含む（帯域幅クラスＡ）。
【００８３】
帯域の範囲内のＤＣサポートは、レガシーシグナリングの通りに示されてもよい。
【００８４】
様々な実施形態において、サポートされる帯域幅、帯域幅コンビネーション又は帯域幅コンビネーションセットが異なる形で示されてもよい。
【００８５】
ある実施形態では、例１において代替案１として挙示した通り、ＣＣ別のサポートされる帯域幅を示すためにビットマップ又はそれに類するものが使用され、それにより、コンビネーションセットのいかなるタイプも示すことなく又は予め定義することなく、あるＣＣからのサポートされる帯域幅を他のＣＣからの他のサポートされる帯域幅と組み合わせることができる。
【００８６】
他の実施形態では、例１において代替案２として挙示した通り、サポートされる帯域幅コンビネーションセットが予め定義される場合に、サブブロック別のサポートされる帯域幅コンビネーションセットが使用される。サブブロック別のサポートされる帯域幅コンビネーションセットのビットマップが使用可能であり、又はＣＡシグナリングにおいてそのセットのインデックスが直接的に使用されるであろう。
【００８７】
他の実施形態についての一例は、例１において代替案３として挙示した通り、上で議論したものと同じSupportedInterBandCombinationであり、帯域間コンビネーションＢＸ＋ＢＹ＋ＢＺ、即ちＣＡ帯域CA_X-Y-Zについて図９に描かれている。このコンビネーションについてのケイパビリティは、サポートされる帯域コンビネーションのリスト内のエントリSupportedInterBandCombinationにおいて示されるであろう。サポートされるBandwidthCombinationSetについてのビットマップは、セット“０”のサポートを示す。このセットは、ネットワークにより帯域内ＣＡ及び帯域間ＣＡのコンビネーションが構成されるケースのために、各帯域についてSupportedCACapabilityPerBand内で示されるセットのインデックスをも含む（帯域内隣接及び非隣接ＣＡ構成についての帯域幅コンビネーションセットは、レガシーシグナリングにおいて既に定義されている）。例えば：各帯域内に２つの隣接ＣＣを伴って帯域Ｘ、Ｙ及びＺをまたいで６つのＣＣが構成される場合、サポートされる帯域幅コンビネーションは、各帯域内の隣接ＣＡについてのインデックスにより与えられる。ＵＥは、全てのＵＥにより全ての帯域間及び帯域内コンビネーションがサポートされるわけではないケースのために、（SupportedInterBandCombinationにおいて）CA_X-Y-Zについて複数の帯域幅コンビネーションセットを示すこともできる。
【００８８】
よって、帯域固有のセットを含めて、各ＣＡ帯域（例えば、CA_X-Y-Z）について帯域幅コンビネーションセットが与えられる。これは、ＵＥが各帯域について何らかのケイパビリティを有し、及びそれら帯域を組み合わせることができるという事実に依拠する。
【００８９】
例１において代替案２及び代替案３として挙示した実施形態について、各ＣＡ構成についてサポートされる帯域幅コンビネーションセットは、レガシーのそれと比較すると若干異なる定義を有する。代替案２について、サブブロック別のコンビネーションセットは、隣接する複数のＣＣのうちサポートされる帯域幅コンビネーションを伴う帯域内隣接ＣＡとしてのセットのみである。代替案３について、帯域別のコンビネーションセットは、異なるサブブロック間のセットである。レガシーシグナリングと比較すると、帯域間及び帯域内のコンビネーションについての帯域幅ケイパビリティの標識が分離される。
【００９０】
また別の実施形態では、レガシーのＣＡ帯域幅コンビネーションセットと同様、サポートされる各帯域間コンビネーションは、サポートされる帯域幅コンビネーションセットを示す、対応するエントリSupportedInterBandCombination内のビットマップを含む。そして、その情報は、ネットワークにより構成可能な帯域幅コンビネーションを算出するために、帯域間コンビネーションの各帯域についての帯域固有のエントリSupportedCACapabilityPerBand内で示される帯域幅コンビネーションセットと組み合わせられる。
【００９１】
ネットワークへ送信されるＣ４情報の例は次を含む：
MaximumNumberofCC  （統合される帯域の全てにわたる）
MaximumNumberofMTAGroups  （統合されるキャリアの全てにわたる）
MaximumNumberofSubBlocks  （非隣接ＣＡをサポートする統合される帯域の全てにわたる）
【００９２】
Ｃ１〜Ｃ３において送信される情報は、例えばＵＥカテゴリにリンクする処理上の限度が存在するケースのために、ＵＥの総キャパシティの情報（Ｃ４）で補完されてもよい。また、示される各帯域コンビネーションについてそれら制限を考慮する必要の無い場合には、所要のシグナリングが削減されてもよい。例えば、ＵＥは、統合される全てのキャリアにわたってマルチタイミングアドバンス管理をサポートしなくてもよい。
【００９３】
［ネットワークアクション］
ここで説明した実施形態の全てにおいて、ネットワークノード（必須ではないが、典型的には、ｅＮＢなどのプライマリサービングノード）は、ＵＥからＣＡケイパビリティ情報を（直接的に又は間接的に）受信し、ＵＥの制限及びケイパビリティを尊重しつつ、ＵＥについてＣＡパラメータを構成して所望の又は所要の帯域幅を達成する。具体的には、ネットワークノードは、受信される情報を用いて、以下のような１つ以上の無線動作上のタスク又は無線リソース管理タスクを実行し得る：
・セル構成：ＵＥのサポートされる帯域及びＣＡケイパビリティに依存して、ネットワークは、ライセンス済みスペクトル又は未ライセンススペクトル内のどの周波数帯域をＵＥへＣＡの利用のために割り当てるべきかを決定し得る。追加的に、ネットワークノードは、ＣＡ又はＤＣ動作のためにどのセルをＰＣｅｌｌのために使用すべきかを決定し得る。
・セル間協調：サポートされる全ての帯域からの負荷条件に依存して、ネットワークは、例えばライセンス済み帯域をオフロードするなど、より良好なスループットを達成するためにセル間の協調を行い得る。
・他のノードへの情報の送信：受信側のネットワークノードは、受信したＣＡケイパビリティ情報を他のネットワークノードへシグナリングしてもよい。例えば、受信側のネットワークノードは、第２のネットワークノード（ＨＳＰＡにおいてＩｕｂインタフェース上でｅＮＢからＲＮＣへ、など）及び／又は第３のネットワークノード（ＬＴＥにおいてＸインタフェース上で隣りの基地局へ、など）へそれを送信するなどしてもよい。受信側のネットワークノードは、受信されるその情報を、１つ以上の無線タスクのために使用し得る。例えば、ＲＮＣは、ＵＥにより提供される相関情報で１つ以上のＵＥを適応させ又は修正してもよい。上で言及したように、モビリティ管理エンティティ（ＭＭＥ）は、ＵＥのＣＡケイパビリティ情報を、ＲＲＣ接続済み状態からアイドル状態へ移る際に記憶し、ｅＮＢとのアクティブなコンテキストをそれ以上有しない。
【００９４】
［シグナリング協調］
ここで説明した新たなＣＡケイパビリティシグナリングを利用するために、ＵＥ及びネットワークの双方は、各々がその新たなシグナリングを理解し及びサポートすることをシグナリングしなければならない。シグナリングを低減するために、ネットワークは、従来技術のシグナリング（例えば、システム情報ブロードキャスト）に従ってＵＥへＣＡのサポート対象の周波数帯域を示してもよい。
【００９５】
１つの実施形態において、ネットワークは、本発明のＣＡケイパビリティシグナリングをサポートするか否かを、ＵＥケイパビリティの問合せ（UE  Capability  Enquiry）において示してもよい。本発明のシグナリングはフォールバック態様の暗黙的なシグナリングを含むことから、このシグナリングをサポートするＵＥは、レガシーシグナリングと比較してオーバヘッドトラフィックを有意に低減することができる。フォールバック態様に対応する帯域コンビネーションは、ＵＥケイパビリティ情報エレメント内のレガシーのフィールドにより示されなくてよい。一例として、ＵＥがＮ個の固有の帯域のコンビネーションをサポートし、かつ同じＮ個の帯域がネットワークによりサポートされ（及びリクエストされる）場合、それらＮ個の帯域を伴う１つの動作帯域コンビネーションが送信される必要があるだけである。これは、サポートされる帯域のうちＮ個よりも少ない帯域をフォールバックケイパビリティとして伴うケースをもカバーし得る。
【００９６】
ネットワークが本発明のシグナリング構造をサポートするかを、各サービングネットワークノードについてＲＲＣ構成シグナリングを通じてネットワークから各ＵＥへ送信されるＲＲＣシグナリングにおいて示すことができる。１つの実施形態において、そうしたケイパビリティを示すために単一のビットのみを要する。
【００９７】
［方法］
図１５は、ワイヤレス通信ネットワークにおいてＵＥからノードへＣＡケイパビリティを通信する方法１００を描いている。上記方法は、ＵＥのＲＦ動作に関連するＣＡケイパビリティ（ブロック１０２）と、上記ＵＥのＢＢ動作に関連するＣＡケイパビリティ（ブロック１０４）とを別々にネットワークノードへ送信すること、を含む。それら送信は、それらの非依存の性質を示すために並列の処理として描かれているが、必ずしも同時には送信されない。実際、当業者は、ＲＦケイパビリティレポーティング（ブロック１０２）及びＢＢケイパビリティレポーティング（ブロック１０４）が同時に又はいずれの順序でもシーケンシャルに行われてもよいことを理解するであろう。上記ＲＦケイパビリティは、サポートされる周波数帯域の数及びＵＥによりサポートされるＭＩＭＯレイヤの数を少なくとも含む。上記ＢＢケイパビリティは、サポートされる統合帯域幅の標識及びＵＥによりサポートされるＣＳＩプロセス複雑度の標識を少なくとも含む。
【００９８】
図１６は、ワイヤレス通信ネットワーク内のノードにより実行される、ＵＥからＣＡケイパビリティを取得する方法２００を描いている。上記ネットワークノードは、別々に送信された、ＵＥのＲＦ動作に関連するＣＡケイパビリティ（ブロック２０２）と、ＵＥのＢＢ動作に関連するＣＡケイパビリティ（ブロック２０４）とを受信する。それら受信は、それらの非依存の性質を示すために並列の処理として描かれているが、必ずしも同時には送信され又は受信されない。実際、当業者は、ＲＦケイパビリティ受信（ブロック２０２）及びＢＢケイパビリティ受信（ブロック２０４）が同時に又はいずれの順序でもシーケンシャルに行われてもよいことを理解するであろう。上記ＲＦケイパビリティは、サポートされる周波数帯域の数及びＵＥによりサポートされるＭＩＭＯレイヤの数を少なくとも含む。上記ＢＢケイパビリティは、サポートされる統合帯域幅の標識及びＵＥによりサポートされるＣＳＩプロセス複雑度の標識を少なくとも含む。上記ネットワークノードは、次いで、ＵＥのＲＦ又はＢＢ動作に関連する受信される上記ＣＡケイパビリティを利用して、１つ以上の無線動作タスク又は無線リソース管理タスク（ＣＡセルの構成、複数セルの協調、又はＵＥ  ＣＡケイパビリティ情報の他のネットワークノードへの送信など）を構成し又は実行する（ブロック２０６）。
【００９９】
［ハードウェア］
図１７は、ＬＴＥなどのワイヤレス通信ネットワークにおいて動作可能な無線ネットワークノード１０を描いている。無線ネットワークノード１０は、１つ以上のＵＥへのエアインタフェースを介したワイヤレス通信を作用させるために、他のネットワークノードとデータを交換するように動作可能な通信回路１２、処理回路１４、メモリ１６、送受信機などの無線回路１８、及び１つ以上のアンテナ２０などを含む。アンテナは、塔又は建物などの上に設置されるなど、無線ネットワークノード１０から物理的に離れた場所にあってもよい。メモリ１６は処理回路１４とは別個に描かれているものの、当業者は、処理回路１４がキャッシュメモリ又はレジスタファイルなどの内部的なメモリを含むことを理解するであろう。当業者が加えて理解することとして、仮想化技法は、処理回路１４により名目的に実行されるいくつかの機能を、実際にはリモートに位置するかもしれない他のハードウェア（例えば、所謂“クラウド”）により実行することを可能にする。
【０１００】
本発明の実施形態によれば、メモリ１６は、ソフトウェア２２を記憶するように動作可能であり、処理回路１４は、ソフトウェア２２を実行するように動作可能である。ソフトウェア２２は、実行された場合に、無線ネットワークノード１０に、ここで説明され特許請求されるように、別々に送信されたＵＥのＲＦ動作に関連するＣＡケイパビリティ及びＵＥのＢＢ動作に関連するＣＡケイパビリティ、並びに／又は、サポートされるＣＡ帯域コンビネーションから分離されたＲＦ／ＢＢケイパビリティ、を受信させるように動作可能である。具体的には、ソフトウェア２２は、処理回路１４上で実行された場合に、ここで説明され特許請求される方法２００を実行するように動作可能である。
【０１０１】
図１８は、本発明の実施形態において動作可能なＵＥ３０を描いている。ＵＥ３０は、典型的には、ユーザインタフェース３２（ディスプレイ、タッチスクリーン、キーボード又はキーパッド、マイクロフォン及びスピーカなど）を含む。いくつかの実施形態では、多くのＭ２Ｍ、ＭＴＣ又はＮＢ−ＩｏＴシナリオにおいてそうであるように、ワイヤレス通信デバイス３０は、（図１８においてブロック３２の破線により示されているように）最小限のユーザインタフェース３２のみを含んでもよく又はユーザインタフェース３２を含まなくてもよい。また、ＵＥ３０は、１つ以上の無線ネットワークノード１０へのエアインタフェースを介したワイヤレス通信を作用させるために、処理回路３４、メモリ３６、送受信機などの無線回路３８、及び１つ以上のアンテナ４０などを含む。破線で示したように、アンテナ４０はワイヤレス通信デバイス３０から外部へ突出してもよく、又はアンテナ４０は内部にあってもよい。
【０１０２】
本発明の実施形態によれば、メモリ３６はソフトウェア４２を記憶するように動作可能であり、処理回路３４は、ソフトウェア４２を実行するように動作可能である。ソフトウェア４２は、実行された場合に、ＵＥ３０に、ここで説明され特許請求されるように、ＵＥのＲＦ動作に関連するＣＡケイパビリティ及びＵＥのＢＢ動作に関連するＣＡケイパビリティ、並びに／又は、サポートされるＣＡ帯域コンビネーションから分離されたＲＦ／ＢＢケイパビリティ、をネットワークノード１０へ別々に送信させる、ように動作可能である。
【０１０３】
全ての実施形態において、処理回路１４、３４は、１つ以上のハードウェア実装の（例えば、離散ロジック、ＦＰＧＡ、ＡＳＩＣなどにおける）ステートマシンといった、メモリ１６、３６内のマシン読取可能なコンピュータプログラムとして記憶されるマシン命令を実行するように動作可能な任意のシーケンシャルステートマシン、適切なファームウェアを伴うプログラマブルロジック、適切なソフトウェアを伴う、１つ以上のストアドプログラム、マイクロプロセッサ若しくはＤＳＰ（Digital  Signal  Processor）といった汎用プロセッサ、又は、それらの任意の組み合わせ、を含んでよい。
【０１０４】
全ての実施形態において、メモリ１６、３６は、当分野で知られた又は開発され得る任意の非一時的なマシン読取可能な媒体を含んでよく、限定ではないものの、磁気媒体（例えば、フロッピーディスク、ハードディスクドライブなど）、光学媒体（例えば、ＣＤ−ＲＯＭ、ＤＶＤ−ＲＯＭなど）又はソリッドステート媒体（例えば、ＳＲＡＭ、ＤＲＡＭ、ＤＤＲＡＭ、ＲＯＭ、ＰＲＯＭ、ＥＰＲＯＭ、フラッシュメモリ、ソリッドステートディスクなど）などを含む。
【０１０５】
全ての実施形態において、無線回路は、ＩＥＥＥ８０２．ｘｘ、ＣＤＭＡ、ＷＣＤＭＡ、ＧＳＭ、ＬＴＥ、ＵＴＲＡＮ、ＷｉＭａｘ又はＮＢ−ＩｏＴなどといった当分野において知られた又は開発され得る１つ以上の通信プロトコルに従って、無線アクセスネットワークを介して１つ以上の他の送受信機と通信するために使用される１つ以上の送受信機１８、３８を含んでよい。送受信機１８、３８は、無線アクセスネットワークリンクにとって適切な送信機及び受信機の機能性（例えば、周波数割り当てなど）を実装する。送信機及び受信機の機能は、回路コンポーネント及び／若しくはソフトウェアを共有してもよく、又は代替的に別々に実装されてもよい。
【０１０６】
全ての実施形態において、通信回路１２は、イーサネット、ＴＣＰ／ＩＰ、ＳＯＮＥＴ又はＡＴＭなどといった当分野で知られた又は開発され得る１つ以上の通信プロトコルに従って、通信ネットワーク上で１つ以上の他のノードと通信するために使用される受信機及び送信機インタフェースを含んでよい。通信回路１２は、通信ネットワークリンク（例えば、光学的及び電気的など）にとって適切な受信機及び送信機の機能性を実装する。送信機及び受信機の機能は、回路コンポーネント及び／若しくはソフトウェアを共有してもよく、又は代替的に別々に実装されてもよい。
【０１０７】
［機能モジュールアーキテクチャ］
図１９は、機能モジュール３００を描いており、機能モジュール３００は、ＵＥ３０内に所在するなどしてもよく、ＵＥのＲＦ動作に関連するＣＡケイパビリティと、ＵＥのＢＢ動作に関連するＣＡケイパビリティとを別々にネットワークノードへ送信する機能を実行する、ように動作可能である。ＲＦケイパビリティは、サポートされる周波数帯域の数及びＵＥ３０によりサポートされるＭＩＭＯレイヤの数を少なくとも含む。ＢＢケイパビリティは、サポートされる統合帯域幅の標識及びＵＥ３０によりサポートされるＣＳＩプロセス複雑度の標識を少なくとも含む。
【０１０８】
図２０は、機能モジュール４００、４１０を描いており、機能モジュール４００、４１０は、無線ネットワークノード１０内に所在するなどしてもよい。モジュール４００は、別々に送信される、ＵＥのＲＦ動作に関連するＣＡケイパビリティと、ＵＥのＢＢ動作に関連するＣＡケイパビリティとを受信する、ように動作可能である。ＲＦケイパビリティは、サポートされる周波数帯域の数及びＵＥ３０によりサポートされるＭＩＭＯレイヤの数を少なくとも含む。ＢＢケイパビリティは、サポートされる統合帯域幅の標識及びＵＥ３０によりサポートされるＣＳＩプロセス複雑度の標識を少なくとも含む。モジュール４１０は、ＵＥ３０のＲＦ又はＢＢ動作に関連する受信される上記ＣＡケイパビリティを利用して、１つ以上の無線動作タスク又は無線リソース管理タスクを構成し又は実行する、ように動作可能である。そうしたタスクは、ＣＡセルの構成、複数のセルの協調、又はＵＥ  Ｃケイパビリティ情報の他のネットワークノードへの送信などを含んでもよい。
【０１０９】
［利点］
本発明の実施形態は、従来技術のレガシーＣＡシグナリングに対して多数の利点を呈する。まず、所要のＣＡケイパビリティ情報を搬送するために必要なシグナリングの量が、８個よりも多くのコンポーネントキャリアのアグリゲーションについて劇的に低減される。ＣＡケイパビリティ送信ペイロードにおけるこの低減は、ＭＩＭＯ／ＣＳＩ／ＮＡＩＣケイパビリティを帯域コンビネーションシグナリングから切り離すことにより、また明示的なフォールバックケイパビリティシグナリングを低減し又は排除することにより達成される。そのシグナリングモデルは、拡張可能であり、ＲＦ依存又はＢＢ依存のいずれかの新たなＵＥケイパビリティを容易に収容し得る。測定ギャップシグナリングの最適化は、ギャップケイパビリティシグナリングサイズを低減することになり、さらに総ＵＥケイパビリティサイズを低減する。ＲＡＴ間ケイパビリティについての明示的な要求は、ＵＥケイパビリティの送信サイズをさらに低減することになる。
【０１１０】
本発明は、当然ながら、本発明の本質的な特徴から逸脱することなく、ここで具体的に説示したものとは別の手法で遂行されてもよい。本発明の実施形態は、あらゆる点において、例示的であって制限的ではないものと見なされるべきであり、添付の特許請求の範囲の意味及び均等の範囲内に入る全ての変更は、そこに包含されるものと意図される。
【図１】
0006503136.tif 000002
【図２】
0006503136.tif 000003
【図３】
0006503136.tif 000004
【図４】
0006503136.tif 000005
【図５】
0006503136.tif 000006
【図６】
0006503136.tif 000007
【図７】
0006503136.tif 000008
【図８】
0006503136.tif 000009
【図９】
0006503136.tif 000010
【図１０】
0006503136.tif 000011
【図１１】
0006503136.tif 000012
【図１２】
0006503136.tif 000013
【図１３】
0006503136.tif 000014
【図１４】
0006503136.tif 000015
【図１５】
0006503136.tif 000016
【図１６】
0006503136.tif 000017
【図１７】
0006503136.tif 000018
【図１８】
0006503136.tif 000019
【図１９】
0006503136.tif 000020
【図２０】
0006503136.tif 000021
【図２１Ａ】
0006503136.tif 000022
【図２１Ｂ】
0006503136.tif 000023
【図２１Ｃ】
0006503136.tif 000024
【図２１Ｄ】
0006503136.tif 000025